(57)【特許請求の範囲】
【請求項１】
車両のウインドウに配設されたプリント式ガラスアンテナの導体の断線を補修するシール式の補修部材であって、
前記ガラスアンテナの導体形状と略一致した形状の導体を有し、該補修部材の導体と前記ガラスアンテナの導体とが重なるように貼り付けられることを特徴とする車両用ガラスアンテナの補修部材。
【請求項２】
車両のウインドウに配設されたプリント式ガラスアンテナの導体の断線を補修するシール式の補修部材であって、
前記ガラスアンテナの導体形状と相似形状の導体を有し、該補修部材の導体と前記ガラスアンテナの導体とが隣接して配置するよう貼り付けられ、前記補修部材の導体は前記ガラスアンテナの導体と容量結合することを特徴とする車両用ガラスアンテナの補修部材。
【請求項３】
前記補修部材の導体は、前記ガラスアンテナの導体と接触することにより、直接的に電気接続することを特徴とする請求項１記載の車両用ガラスアンテナの補修部材。
【請求項４】
前記補修部材が前記導体と前記補修部材の外形形状を構成するシートとを備え、
前記シートの形状は、前記ガラスアンテナの導体形状に略一致していることを特徴とする請求項３記載の車両用ガラスアンテナの補修部材。
【請求項５】
前記補修部材の導体は、前記ガラスアンテナの導体と容量結合することを特徴とする請求項１記載の車両用ガラスアンテナの補修部材。
【請求項６】
前記補修部材の導体形状は、前記ガラスアンテナの導体形状より小さい相似形状であって、前記補修部材の導体は前記ガラスアンテナの導体の内側に隣接して配置させることを特徴とする請求項２記載の車両用ガラスアンテナの補修部材。
【請求項７】
前記補修部材が前記導体と前記補修部材の外形形状を構成するシートとを備え、
前記シートの形状は、前記ガラスアンテナの導体の内側領域の形状に略等しいことを特徴とする請求項６記載の車両用ガラスアンテナの補修部材。
【請求項８】
前記補修部材が前記導体と前記補修部材の外形形状を構成するシートとを備え、
前記補修部材の導体は、前記シートに内包されていることを特徴とする請求項２又は請求項５に記載の車両用ガラスアンテナの補修部材。
【請求項９】
前記補修部材の導体幅は、前記ガラスアンテナの導体幅より小さいことを特徴とする請求項１乃至請求項８の何れかに記載の車両用ガラスアンテナの補修部材。
【請求項１０】
前記ウィンドウは、フロントウィンドウであることを特徴とする請求項１又は請求項２に記載の車両用ガラスアンテナの補修部材。
【請求項１１】
前記補修部材は、前記ガラスアンテナへの給電端子を含まないことを特徴とする請求項１又は２に記載の車両用ガラスアンテナの補修部材。
【請求項１２】
前記ガラスアンテナは、ループアンテナであることを特徴とする請求項１又は請求項２に記載の車両用ガラスアンテナの補修部材。
【請求項１３】
前記ガラスアンテナは、四角形アンテナであることを特徴とする請求項１又は請求項２に記載の車両用ガラスアンテナの補修部材。
【発明の詳細な説明】
【０００１】
【発明の属する技術分野】
本発明は、例えば、代表的な車両である自動車のフロントウィンドウ等に配設される車両用ガラスアンテナの補修部材に関する。
【０００２】
【従来の技術】
従来より、代表的な車両である自動車においては、フロントウィンドウ等に配設されたガラスアンテナが使用されている。一般に、ガラスアンテナは、プリント式とシール式とに大別され、プリント式のガラスアンテナとしては、例えば実開昭６２−２６９１１号が開示されている。また、シール式のガラスアンテナとして、本願出願人による特開平９−１３０１２４号には、ドライバの視界を確保しつつ高い受信感度を有するガラスアンテナが開示されている。
【０００３】
【発明が解決しようとする課題】
このようなガラスアンテナのうち、プリント式のガラスアンテナに断線等の障害が生じたときには、そのアンテナの高周波信号の流れを復旧させることができれば機能を確保できるため、少なくとも容量結合を回復させれば良い。
【０００４】
そこで本発明は、プリント式のガラスアンテナに生じた断線を低コスト且つ容易に補修する車両用ガラスアンテナの補修部材の提供を目的とする。
【０００５】
【課題を解決するための手段】
上記の目的を達成するため、本発明に係る車両用ガラスアンテナの補修部材は、以下の構成を特徴とする。
【０００６】
即ち、請求項１の本発明は、車両のウインドウに配設されたプリント式ガラスアンテナの導体の断線を補修するシール式の補修部材であって、前記ガラスアンテナの導体形状と略一致した形状の導体を有し、該補修部材の導体と前記ガラスアンテナの導体とが重なるように貼り付けられることを特徴とする。これにより、プリント式のガラスアンテナに生じた断線を低コスト且つ容易に補修する。また、補修部材の導体とガラスアンテナの導体とが重なるように貼り付けられることで補修後の見栄えを良くすると共にガラスアンテナの導体の何れの箇所において断線が発生しても単一の補修部材で対応できる。
また、請求項２の本発明は、車両のウインドウに配設されたプリント式ガラスアンテナの導体の断線を補修するシール式の補修部材であって、前記ガラスアンテナの導体形状と相似形状の導体を有し、該補修部材の導体と前記ガラスアンテナの導体とが隣接して配置するよう貼り付けられ、前記補修部材の導体は前記ガラスアンテナの導体と容量結合することを特徴とする。これにより、プリント式のガラスアンテナに生じた断線を低コスト且つ容易に補修する。また、補修部材の導体とガラスアンテナの導体とが隣接して配置するように貼り付けられることで補修部材の導体の突出量を最小限に抑えることができると共にガラスアンテナの導体の何れの箇所において断線が発生しても単一の補修部材で対応できる。
【００１４】
【発明の実施の形態】
以下、本発明に係る車両用ガラスアンテナの実施形態を、代表的な車両である自動車のプリント式のガラスアンテナに適用した実施形態として、図面を参照して詳細に説明する。
【００１５】
尚、以下に説明する各実施形態では、フロントウィンドウにプリントされたガラスアンテナを例に説明するが、これに限られるものではなく、例えば、リアウィンドウや固定式のサイドウィンドウにも適用可能である。
【００１６】
［第１の実施形態］
はじめに、プリント式の車両用ガラスアンテナをフロントウィンドウに配設した状態の例を図１に示す。
【００１７】
図１において、４はフロントウインドウであり、そのフロントウインドウの上部中央には、所謂車検シール３、そして上部右端には定期点検シール２が貼り付けられている。また、定期点検シール２と車検シール３との間には、不平衡アンテナの一例として、四角形アンテナであるプリント式のガラスアンテナ１が配設されている。ここで、ガラスアンテナ１は、四角形、円形、Ｔ型等のループアンテナ（平衡アンテナ）であってもよい。
【００１８】
このように配設されたガラスアンテナ１において、例えば、定期点検シール２や車検シール３の貼り替え時や、フロントウインドウ４の清掃時等に、何らかの原因によって当該アンテナを構成する導体が断線すると、アンテナの機能を果たさなくなる。
【００１９】
そこで、本実施形態では、断線しているガラスアンテナ１に対して、以下に説明するシール（シートフィルム）式の補修部材を貼り付けることにより、その補修部材に配設されている導体とガラスアンテナ１の導体とを、接触させることによって直接的に電気接続する、或いは、容量結合させることによって間接的に電気接続する。これにより、ガラスアンテナ１の本来の特性を復旧させる。以下、具体的な例を説明する。
【００２０】
図２から図４は、本発明の第１の実施形態としてのガラスアンテナとその補修部材との形状を示す図であり、何れの図においても、５は給電端子である。
【００２１】
図２において、１Ａは、四角形アンテナであるガラスアンテナである。１１Ａは、ガラスアンテナ１Ａの断線を補修する補修部材である。また、開口部１０Ａは無くても良いことは言うまでもない。
【００２２】
また、図３において、１Ｂは、ループアンテナであるガラスアンテナである。１１Ｂは、ガラスアンテナ１Ｂの断線を補修する補修部材である。この場合も、開口部１０Ｂは無くても良いことは言うまでもない。但し、同図に示すように、補修の対象がループアンテナであるため、補修部材１１Ｂ上の導体は、給電端子５の導体付近が途切れた形状である。
【００２３】
更に、図４において、１Ｃは、Ｔ型アンテナであるガラスアンテナである。１１Ｃは、ガラスアンテナ１Ｃの断線を補修する補修部材である。
【００２４】
図２から図４に示した補修部材１１Ａから１１Ｃは、何れもフロントウィンドウ４と接触する面に予め接着剤が塗布されている所謂シール式であり、ガラスアンテナの形状に沿って貼り付ければよい。
【００２５】
次に、上記の各補修部材の構成と、フロントウィンドウ４に貼り付けられたときの状態について説明する。
【００２６】
図５から図７は、本発明の第１の実施形態における補修部材の断面図であり、一例として、図２に示す破線の位置で切断したときの断面形状を示す図である。
【００２７】
図５において、補修部材１１Ａ，１１Ｂは、導体１１１と、その導体を内包するシール（フィルム）１１２とからなる。
【００２８】
図６において、補修部材１１Ａ，１１Ｂは、導体１１１と、その導体が貼りつけられたシール（フィルム）１１２とからなる。
【００２９】
図７において、補修部材１１Ａ，１１Ｂは、導体１１１と、その導体が貼りつけられたシール（フィルム）１１２とからなるが、この場合、シール１１２が導体１１１と略同じ寸法のため、導体１１１自体に接着剤を塗布する必要がある。
【００３０】
尚、図４に示したＴ型アンテナ用の補修部材１１Ｃについても、図５から図７と同様な構成とすることができることは言うまでもない。
【００３１】
図８から図１０は、本発明の第１の実施形態における補修部材がフロントウィンドウに貼り付けられたときの断面形状を示す図であり、上記の図５から図７の断面位置にて示している。
【００３２】
図８において、図５に示した内包構造の補修部材１１Ａ，１１Ｂの導体１１１は、ガラスアンテナ１Ａ，１Ｂの導体の略真上に重ね合わせた状態で貼り付けられている。この場合、導体１１１とガラスアンテナ１Ａ，１Ｂの導体とは、シール１１２を介して容量結合することになる。この場合、導体１１１とガラスアンテナ１Ａ，１Ｂの導体との間に位置するシール１１２の厚さは、補修部材１１Ａ，１１Ｂが貼り付けられたときに、ガラスアンテナ１Ａ，１Ｂが当初（出荷時）の性能に復旧するような静電容量を確保できる厚さに成形する必要があることは言うまでもない。
【００３３】
また、図９において、図６に示した補修部材１１Ａ，１１Ｂの導体１１１は、ガラスアンテナ１Ａ，１Ｂの導体の略真上に重ね合わせた状態で貼り付けられている。この場合、導体１１１とガラスアンテナ１Ａ，１Ｂの導体とは、直接接触するため、電気的に導通することになる。
【００３４】
更に、図１０において、図７に示した補修部材１１Ａ，１１Ｂの導体１１１は、ガラスアンテナ１Ａ，１Ｂの導体の略真上に重ね合わせた状態で貼り付けられている。この場合、導体１１１とガラスアンテナ１Ａ，１Ｂの導体とは、導体１１１に塗布された接着剤を介することにはなるが、図９の場合と略同様に直接接触するため、電気的に導通することになる。
【００３５】
このように、プリント式のガラスアンテナが断線したときには、従来、ディーラにて自動車を預かって補修を行っていたため、時間的にもコスト的にもユーザの大きな負担となっているのに対して、本実施形態に係る補修部材によれば、その補修部材をユーザが購入し、ユーザ自身がガラスアンテナの形状に沿って貼り付けるだけで低コスト且つ容易に補修することができる。
【００３６】
［第２の実施形態］
本実施形態では、フロントウィンドウ４のガラスアンテナ部分において、補修部材を貼り付けたときの凸状の突出量を最小限に抑えるべく、ガラスアンテナの導体と、補修部材が有する導体との位置を重ね合わせるのではなく、それら導体を、フロントウィンドウ４の表面に沿って隣接配置することによって容量結合させる。この点が、第１の実施形態と異なる。
【００３７】
図１１は、本発明の第２の実施形態としてのガラスアンテナとその補修部材との形状を示す図である。
【００３８】
図中、１Ａは、四角形アンテナであるガラスアンテナである。２１Ａまたは２１Ｂは、ガラスアンテナ１Ａの断線を補修する補修部材である。５は、給電端子である。本実施形態では、ガラスアンテナ１Ａが断線した場合、後述の如く、補修部材２１Ａまたは２１Ｂを貼り付ける。尚、補修部材２１Ａ，２１Ｂには、図２と同様な開口部を設けても良いことは言うまでもない。
【００３９】
次に、上記の各補修部材の構成と、フロントウィンドウ４に貼り付けられたときの状態について説明する。
【００４０】
図１２から図１５は、本発明の第２の実施形態における補修部材の断面図であり、一例として、図１１に示す破線の位置で切断したときの断面形状を示す図である。
【００４１】
図１２及び図１３において、補修部材２１Ａ，２１Ｂの導体２１１は、導電性を有する樹脂部材を用いて、当該補修部材のシール部分と一体に形成されている。この場合、補修部材２１Ａ，２１Ｂは、フロントウィンドウ４の表面において、ガラスアンテナ１Ａ，１Ｂの導体の内側に、その導体と同じ程度の突出量で貼り付けることができる。この場合、補修部材２１Ａ，２１Ｂの大きさを、ガラスアンテナ１Ａ，１Ｂの導体の内側領域の大きさに略一致させることによって隙間を無くせば、見栄えも良い。
【００４２】
図１４及び図１５において、補修部材２１Ａ，２１Ｂの構成は、第１の実施形態で説明した図５または図６の構成と同様である。この場合、補修部材２１Ａ，２１Ｂは、フロントウィンドウ４の表面において、ガラスアンテナ１Ａ，１Ｂの導体を跨ぐように、その導体とシール部材とを重ね合わせた突出量で貼り付けることができ、第１の実施形態の場合と比較して導体２１１の分だけ突出量を少なくすることができる。
【００４３】
このように、図１２から図１５に示した補修部材２１Ａ，２１Ｂによれば、ガラスアンテナの導体１Ａ，１Ｂと、補修部材２１Ａ，２１Ｂが有する導体２１１とを、フロントウィンドウ４の表面に沿って隣接配置することができ、それら導体同士を容量結合させることができる。
【００４４】
尚、ガラスアンテナが図４に示したようなＴ型のアンテナの場合には、例えば、図１６に示す補修部材２１Ｃのように、導体を導体２１２Ａと導体２１２Ｂとに分け、それら導体の位置関係を、同図に示すようにフロントウィンドウ４にプリントされたＴ型のガラスアンテナの導体幅より広い距離Ｌだけ離して形成すれば良い。
【００４５】
また、ガラスアンテナ１Ａが図３に示したようなループアンテナの場合、補修部材２１Ａ，２１Ｂの導体は、給電端子５の導体付近が途切れた形状にする必要があることは第１の実施形態の場合と同様である。
【００４６】
また、本実施形態では、補修部材２１Ａ，２１Ｂが有する導体２１１が、ガラスアンテナ１Ａの導体に隣接配置されるため、当該補修部材の導体幅は、当該ガラスアンテナの導体幅より小さい方が、アンテナ補修後のフロントウィンドウ４上部の見栄えが良いことは言うまでもない。特に、第１の実施形態のように両方の導体が重ね合わされる場合に適用すれば、フロントウィンドウ４の表面において、ガラスアンテナの導体とその導体上の補修部材の導体とが凸状となるため、それらの導体をシール（フィルム）により上から覆えば、凸状の導体のそれぞれの角部にシートが接触し、結果として、該シールがフロントウィンドウ４の表面から突出している部分を多少目立たなくするという効果が得られる。
【００４７】
このように、本実施形態によれば、第１の実施形態と同様な効果が得られることは言うまでもなく、更に、第１の実施形態の場合と比較して補修部材を貼り付けたときの凸状の突出量を最小限に抑えることができるため、復旧させたガラスアンテナに対して、後日の定期点検シール２や車検シール３の貼り替え時や、フロントウィンドウ４の清掃時等に、ユーザや作業者が再度障害を起こす可能性を低減することができる。
【００４８】
尚、上述した各実施形態では、ガラスアンテナを構成する導体の何れの箇所において断線が発生しても、そのガラスアンテナに対しては単一の補修部材で対応可能である。
【００４９】
【発明の効果】
以上説明したように、本発明によれば、プリント式のガラスアンテナに生じた断線を低コスト且つ容易に補修する車両用ガラスアンテナの補修部材の提供が実現する。
【００５０】
【図面の簡単な説明】
【図１】プリント式の車両用ガラスアンテナをフロントウィンドウに配設した状態の一例を示す図である。
【図２】本発明の第１の実施形態としてのガラスアンテナとその補修部材との形状を示す図である。
【図３】本発明の第１の実施形態としてのガラスアンテナとその補修部材との形状を示す図である。
【図４】本発明の第１の実施形態としてのガラスアンテナとその補修部材との形状を示す図である。
【図５】本発明の第１の実施形態における補修部材の断面図である。
【図６】本発明の第１の実施形態における補修部材の断面図である。
【図７】本発明の第１の実施形態における補修部材の断面図である。
【図８】本発明の第１の実施形態における補修部材がフロントウィンドウに貼り付けられたときの断面形状を示す図である。
【図９】本発明の第１の実施形態における補修部材がフロントウィンドウに貼り付けられたときの断面形状を示す図である。
【図１０】本発明の第１の実施形態における補修部材がフロントウィンドウに貼り付けられたときの断面形状を示す図である。
【図１１】本発明の第２の実施形態としてのガラスアンテナとその補修部材との形状を示す図である。
【図１２】本発明の第２の実施形態における補修部材の断面図である。
【図１３】本発明の第２の実施形態における補修部材の断面図である。
【図１４】本発明の第２の実施形態における補修部材の断面図である。
【図１５】本発明の第２の実施形態における補修部材の断面図である。
【図１６】本発明の第２の実施形態としてのＴ型ガラスアンテナの補修部材の形状を示す図である。
【符号の説明】
１，１Ａ，１Ｂ，１Ｃ：ガラスアンテナ，
２：定期点検シール，
３：車検シール，
４：フロントウインドウ，
５：給電端子，
１０Ａ，１０Ｂ：開口部，
１１Ａ，１１Ｂ，１１Ｃ，２１Ａ，２１Ｂ，２１Ｃ：補修部材，
１１１，２１１，２１２Ａ，２１２Ｂ：導体，
１１２：シール（フィルム），
【図１】
0003761015.tif 000002
【図２】
0003761015.tif 000003
【図３】
0003761015.tif 000004
【図４】
0003761015.tif 000005
【図５】
0003761015.tif 000006
【図６】
0003761015.tif 000007
【図７】
0003761015.tif 000008
【図８】
0003761015.tif 000009
【図９】
0003761015.tif 000010
【図１０】
0003761015.tif 000011
【図１１】
0003761015.tif 000012
【図１２】
0003761015.tif 000013
【図１３】
0003761015.tif 000014
【図１４】
0003761015.tif 000015
【図１５】
0003761015.tif 000016
【図１６】
0003761015.tif 000017